(57)【特許請求の範囲】
【請求項１】
浴槽底が洗い場床よりも低い位置に配置され、前記浴槽底に排水栓で開閉可能な浴槽排水口が設けられ、前記洗い場床に洗い場排水口が設けられている浴槽装置に適用される浴槽水のゴミ捕獲装置であって、
上端が前記洗い場排水口に接続されていると共に下端が下水管に接続されている排水本管と、この排水本管の前記浴槽底よりも低い位置から分岐していて前記浴槽排水口に先端が接続されている第１排水枝管と、前記排水本管の前記第１排水枝管への分岐口よりも高い位置から分岐していて貯水タンクに先端が接続されている第２排水枝管と、前記排水本管に出し入れ可能に形成されているゴミ捕獲部材と、を備え、
前記ゴミ捕獲部材が、前記排水本管の第１排水枝管への分岐口よりも下に配置されていて排水本管を閉塞している底部と、その底部に立設されていて前記排水本管の第２排水枝管への分岐口の前方に設けられている網状部材と、を備えていることを特徴とする浴槽水のゴミ捕獲装置。
【請求項２】
前記ゴミ捕獲部材の網状部材が横断面略Ｃ字形に形成されていて、前記網状部材の両側部間の開口部が前記第１排水枝管側を向くように排水本管内に挿入されている請求項１記載の浴槽水のゴミ捕獲装置。
【請求項３】
前記ゴミ捕獲部材に、洗い場排水口を閉塞可能な蓋部が設けられている請求項１または２記載の浴槽水のゴミ捕獲装置。
【請求項４】
前記第２排水枝管の管底が、前記浴槽底よりも僅かに高い位置に配置されている請求項１ないし３記載の浴槽水のゴミ捕獲装置。
【発明の詳細な説明】
【０００１】
【発明の属する技術分野】
本発明は、浴槽水を洗濯や便器洗浄等に中水として利用するための浴槽水のゴミ捕獲装置に関する。
【０００２】
【従来の技術】
水資源節約への関心が高まりつつある現在、浴槽で使用した浴槽水を洗濯や便器洗浄等に有効利用しようという考えが普及しつつある。ところが、入浴後の浴槽水中には毛髪や垢などのゴミが含まれているため、浴槽水を中水として利用するためには、浴槽水中のゴミを捕獲除去する作業が必要になる。
従来、浴槽水中の毛髪を捕獲除去するものとしては、例えば、特開平６−３３６７５２号公報に記載されているように、循環装置付の浴槽において、浴槽水の循環路の途中に取り付けられるヘアーキャッチャーが知られている。
【０００３】
【発明が解決しようとする課題】
しかしながら、このようなヘアーキャッチャーにあっては、循環装置を所定時間作動させておかなければ浴槽水中の毛髪を捕獲除去できないため、入浴直後の浴槽水を中水として利用する場合には、別の手段でゴミを捕獲除去する必要があるという問題があった。また、上記ヘアーキャッチャーは、循環装置の循環路の途中に取り付けるものなので、循環装置が設けられていない浴槽には適用できないという問題もあった。
【０００４】
そこで、本発明は、上記のような問題に着目し、循環装置を備えていない浴槽にも適用することができ、入浴直後であっても短時間に浴槽水中のゴミを捕獲除去することができる浴槽水のゴミ捕獲装置を提供することを目的としている。
【０００５】
【課題を解決するための手段】
上記目的を達成するため、請求項１記載の発明では、浴槽底が洗い場床よりも低い位置に配置され、前記浴槽底に排水栓で開閉可能な浴槽排水口が設けられ、前記洗い場床に洗い場排水口が設けられている浴槽装置に適用される浴槽水のゴミ捕獲装置であって、上端が前記洗い場排水口に接続されていると共に下端が下水管に接続されている排水本管と、この排水本管の前記浴槽底よりも低い位置から分岐していて前記浴槽排水口に先端が接続されている第１排水枝管と、前記排水本管の前記第１排水枝管への分岐口よりも高い位置から分岐していて貯水タンクに先端が接続されている第２排水枝管と、前記排水本管に出し入れ可能に形成されているゴミ捕獲部材と、を備え、前記ゴミ捕獲部材が、前記排水本管の第１排水枝管への分岐口よりも下に配置されていて排水本管を閉塞している底部と、その底部に立設されていて前記排水本管の第２排水枝管への分岐口の前方に設けられている網状部材と、を備えている構成とした。
また、請求項２記載の発明では、請求項１記載の発明において、前記ゴミ捕獲部材の網状部材が横断面略Ｃ字形に形成されていて、前記網状部材の両側部間の開口部が前記第１排水枝管側を向くように排水本管内に挿入されている構成とした。
更に、請求項３記載の発明では、請求項１または２記載の発明において、前記ゴミ捕獲部材に、洗い場排水口を閉塞可能な蓋部が設けられている構成とした。
また、請求項４記載の発明では、請求項１ないし３記載の発明において、前記第２排水枝管の管底が、前記浴槽底よりも僅かに高い位置に配置されている構成とした。
【０００６】
【作用】
請求項１記載の発明では、浴槽水を中水として使用する場合、排水栓を抜き取って浴槽排水口を開ける。そうすると、浴槽水は第１排水枝管に流れ込み、第１排水枝管からゴミ捕獲部材の網状部材を通って第２排水枝管に流れ込み、貯水タンクに溜る。つまり、浴槽水は網状部材で濾過されてから貯水タンクに流れ込むので、貯水タンクには、毛髪や垢などのゴミが捕獲除去された浴槽水が流れ込む。従って、貯水タンクに溜った浴槽水をそのまま洗濯水や便器洗浄水等の中水として使用することができる。
【０００７】
請求項２記載の発明では、ゴミ捕獲部材の網状部材が横断面略Ｃ字形に形成されていて、前記網状部材の両側部間の開口部が前記第１排水枝管側を向くように排水本管内に挿入されているので、一旦捕獲したゴミが網状部材の外に逃げないようにすることができる。つまり、網状部材と排水本管の内壁面との間の隙間から第２排水枝管にゴミが浸入しないようにすることができると共に、ゴミが排水本管の内壁面に付着しないようにすることもできる。
【０００８】
請求項３記載の発明では、ゴミ捕獲部材に、洗い場排水口を閉塞可能な蓋部が設けられているので、ゴミ捕獲部材が排水本管に挿入されている時は、洗い場床の水が排水本管に流れ込まないようにすることができる。
【０００９】
請求項４記載の発明では、浴槽水の水位が第２排水枝管の管底の高さまで下がると、浴槽水が第２排水枝管に流れ込まなくなるので、浴槽水が排水されなくなったら、ゴミ捕獲部材を洗い場排水口から抜き取る。そうすると、残りの浴槽水は第１排水枝管から排水本管を通って下水管に流れ込み、浴槽水は全て排水される。ゴミ捕獲部材を洗い場排水口から抜き取る前の残された浴槽水には、水面に浮いている毛髪や垢などのゴミが特に多く含まれているので、この浴槽水を貯水タンクに流さずに下水管に流すようにすることで、水面に浮いているゴミによって貯水タンクに溜る浴槽水が汚れないようにすることができる。
【００１０】
【発明の実施の形態】
以下、図１〜図４に基づいて、実施の形態の浴槽水のゴミ捕獲装置について詳述する。図１は実施の形態の浴槽水のゴミ捕獲装置の排水停止状態を示す説明図、図２は実施の形態の浴槽水のゴミ捕獲装置のゴミ除去部材を示す斜視図、図３は実施の形態の浴槽水のゴミ捕獲装置の貯水タンクへの排水状態を示す説明図、図４は実施の形態の浴槽水のゴミ捕獲装置の下水管への排水状態を示す説明図で、図中１は浴槽、２は洗い場床、３は排水本管、４は第１排水排水枝管、５は第２排水排水枝管、６はゴミ捕獲部材である。
【００１１】
前記浴槽１は、洗い場床２よりも底１０が低くなる位置に設置されており、その底１０には、排水栓７で開閉可能な浴槽排水口１１が設けられている。また、前記洗い場床２にも、洗い場排水口２１が設けられている。
【００１２】
前記排水本管３は、ほぼ垂直に配管されていて、上端部が前記洗い場排水口２１と接続され、下端部が下水管（図示省略）と接続されている。
【００１３】
前記第１排水枝管４は、前記排水本管３の浴槽底１０よりも低い位置から分岐していて、前記浴槽排水口１１に先端が接続されている。
【００１４】
前記第２排水枝管５は、前記排水本管３の浴槽底１０よりも高い位置から分岐していて、管底が浴槽底１０よりも僅かに高い位置に配置されており、貯水タンク８に先端が接続されている。
【００１５】
前記ゴミ捕獲部材６は、前記洗い場排水口２１から排水本管３内に出し入れ可能に形成されており、図２に示すように、円形の底部６１と、その底部６１に立設されている網状部材６２と、その網状部材６２の上端部に固定されている円形の蓋部６３と、その蓋部６３に取り付けられている把手６４と、で構成されている。また、このゴミ捕獲部材６は、前記排水本管３の第１排水枝管４への分岐口よりも下に底部６１が配置されていて、この底部６１で前記排水本管３を閉塞している。また、蓋部６３で洗い場排水口２１を閉塞している。更に、前記網状部材６２は、横断面Ｃ字形に形成されており、両側部間の開口部が前記第１排水枝管４側を向くように前記排水本管３内に挿入されている。つまり、このゴミ捕獲部材６が排水本管３に挿入されている時は、洗い場床２の水が排水本管３に流れ込まないようになっていると共に、浴槽水が排水本管３から下水管に流れ落ちないようになっている。
【００１６】
以下、図３ならびに図４に基づいて、浴槽水を中水として使用する場合について説明する。
浴槽水を中水として使用する場合には、排水栓７を抜き取って浴槽排水口１１を開ける。そうすると、浴槽水は第１排水枝管４に流れ込み、第１排水枝管４からゴミ捕獲部材６の網状部材６２を通って第２排水枝管５に流れ込み、貯水タンク８に溜る。つまり、浴槽水は網状部材６２で濾過されてから貯水タンク８に流れ込むので、貯水タンク８には、毛髪や垢などのゴミが捕獲除去された浴槽水が流れ込む。従って、貯水タンク８に溜った浴槽水をそのまま洗濯水や便器洗浄水等の中水として使用することができる。
【００１７】
次に、図３に示すように、浴槽水の水位が第２排水枝管５の管底の高さまで下がると、浴槽水が第２排水枝管５に流れ込まなくなるので、浴槽水が排水されなくなったら、ゴミ捕獲部材６を洗い場排水口２１から抜き取る。そうすると、残りの浴槽水は第１排水枝管４から排水本管３を通って下水管に流れ込む。そして図４に示すように、浴槽水は全て排水される。ゴミ捕獲部材６を洗い場排水口２１から抜き取る前の残された浴槽水には、水面に浮いている毛髪や垢などのゴミが特に多く含まれているので、この浴槽水を貯水タンク８に流さずに下水管に流すようにすることで、貯水タンク８に溜る浴槽水が汚れないようにすることができる。洗い場排水口２１から抜き取ったゴミ捕獲部材６は、ゴミを取り除いて再び洗い場排水口２１から排水本管３に挿入して使用する。
【００１８】
つまり、本実施の形態のゴミ捕獲装置にあっては、排水栓７を抜き取って浴槽排水口１１を開けるだけの操作で、浴槽水を中水として利用できるような状態にしてから貯水タンク８に溜めることができる。しかも、このゴミ捕獲装置は、循環装置とは別個の排水管路系に設けられるので、循環装置を備えている浴槽だけでなく循環装置を備えていない浴槽への適用も可能である。また、浴槽水を浴槽１から貯水タンク８に移す途中で浴槽水中のゴミを捕獲除去することができるので、入浴直後の浴槽水であっても短時間でゴミを捕獲除去することができる。
【００１９】
更に、網状部材６２が横断面Ｃ字形に形成されていることで、一旦捕獲したゴミが網状部材６２の外に逃げないようにすることができるので、網状部材６２と排水本管３の内壁面との間の隙間から第２排水枝管５にゴミが浸入しないようにすることができると共に、ゴミが排水本管３の内壁面に付着しないようにすることもできる。
【００２０】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、第２排水枝管の管底が浴槽底よりも僅かに高い位置に配置されている例を説明したが、第２排水枝管は、排水本管の第１排水枝管への分岐口よりも高い位置から分岐していれば、底面が浴槽底と同一高さあるいは浴室底面よりも低い位置に配置されていてもよい。また、実施の形態では、ゴミ捕獲部材の網状部材が、横断面Ｃ字形に形成されている例を示したが、網状部材の横断面形状は、Ｌ字形等、Ｃ字形以外の形状であってもよい。更に、実施の形態では、ゴミ捕獲部材の網状部材に、洗い場排水口を閉塞可能な蓋部が設けられている例を示したが、洗い場排水口は、ゴミ捕獲部材とは別個の部材で閉塞できるようにしてもよい。
【００２１】
【発明の効果】
以上説明したように、請求項１記載の発明にあっては、循環装置とは別個の排水管路系に設けられるので、循環装置を備えている浴槽だけでなく循環装置を備えていない浴槽への適用も可能である。また、浴槽水を浴槽から貯水タンクに移す途中で浴槽水中のゴミを捕獲除去することができるので、入浴直後の浴槽水であっても短時間でゴミを捕獲除去することができるという効果が得られる。
【００２２】
請求項２記載の発明にあっては、網状部材と排水本管の内壁面との間の隙間から第２排水枝管にゴミが浸入しないようにすることができると共に、ゴミが排水本管の内壁面に付着しないようにすることもできるという効果が得られる。
【００２３】
請求項３記載の発明にあっては、洗い場床の水が排水本管に流れ込まないようにすることができるので、貯水タンクの容量を浴槽の大きさに合わせて設定することができるという効果が得られる。
【００２４】
請求項４記載の発明にあっては、水面に浮いている毛髪や垢などのゴミが特に多く含まれている終盤の浴槽水は貯水タンクに流さずに下水管に流すことができるので、水面に浮いているゴミによって貯水タンクに溜る浴槽水が汚れないようにすることができるという効果が得られる。
【図面の簡単な説明】
【図１】実施の形態の浴槽水のゴミ捕獲装置の排水停止状態を示す説明図である。
【図２】実施の形態の浴槽水のゴミ捕獲装置のゴミ除去部材を示す斜視図である。
【図３】実施の形態の浴槽水のゴミ捕獲装置の貯水タンクへの排水状態を示す説明図である。
【図４】実施の形態の浴槽水のゴミ捕獲装置の下水管への排水状態を示す説明図である。
【符号の説明】
１  浴槽
１０  浴槽底
１１  浴槽排水口
２  洗い場床
２１  洗い場排水口
３  排水本管
４  第１排水枝管
５  第２排水枝管
６  ゴミ捕獲部材
６１  底部
６２  網状部材
６３  蓋部
８  貯水タンク
【図１】
0003569092.tif 000002
【図２】
0003569092.tif 000003
【図３】
0003569092.tif 000004
【図４】
0003569092.tif 000005